(57)【要約】      （修正有）【課題】皿部を嵌め易く、加熱調理中は皿部が外れ難く、そしてユーザは皿部を外し易い食品包装用容器を提供する。【解決手段】この食品包装用容器１００は、容器本体１と皿部２とを少なくとも備えるようにした。皿部２は、底面部２１及び周壁部２２を有し、容器本体１の内周側面に嵌合し、容器本体１の底面部１１と離間して支持される。この皿部２は、当該皿部２の外周側面に周方向に１周に亘って隣同士間隔を空けながら並ぶ複数の突起部２６１を有するようにした。そして、容器本体１は、当該容器本体１の内周側面のうち、突起部２６１との対面位置に形成され、突起部２６１が嵌まり込む凹部を有するようにした。【選択図】図２
2020203719.tif 000002
【特許請求の範囲】
【請求項１】
底面部及び周壁部を有し、上面が開口した容器本体と、
底面部及び周壁部を有し、前記容器本体の内周側面に嵌合し、前記容器本体の底面と離間して支持される皿部と、
を備え、
前記皿部は、当該皿部の外周側面に周方向に１周に亘って隣同士間隔を空けながら並ぶ複数の突起部を有し、
前記容器本体は、当該容器本体の内周側面のうち、前記突起部との対面位置に形成され、前記突起部が嵌まり込む凹部を有すること、
を特徴とする食品包装用容器。
【請求項２】
前記突起部は、半球状に膨出していること、
を特徴とする請求項１記載の食品包装用容器。
【請求項３】
前記容器本体は、発泡体により成ること、
を特徴とする請求項１又は２記載の食品包装用容器。
【請求項４】
前記凹部は、下側に向けて直線的に拡径する逆テーパ形状を有すること、
を特徴とする請求項３記載の食品包装用容器。
【請求項５】
前記皿部は、当該皿部の外周側面に設けられ、且つ前記突起部よりも高い位置に、周方向に１周に亘って無端状に延在し、断面視半円状又は台形状に膨出する環状膨出部を有し、
前記環状膨出部は、前記凹部に密着すること、
を特徴とする請求項１乃至３の何れかに記載の食品包装用容器。
【請求項６】
前記皿部は、当該皿部の底面部から立ち上がって、当該皿部の底面部を周方向に１周に亘って囲み、前記突起部よりも低い位置に延在する環状の底側リブを有すること、
を特徴とする請求項１乃至５の何れかに記載の食品包装用容器。
【請求項７】
前記突起部として、短幅突起部と長幅突起部の２種類が並設され、
前記短幅突起部は、前記皿部の周方向の長さが前記長幅突起部よりも短く、
前記長幅突起部は、前記皿部の周方向の長さが前記短幅突起部よりも長く、
前記短幅突起部と前記長幅突起部は、交互に並ぶこと、
を特徴とする請求項１乃至６の何れかに記載の食品包装用容器。
【請求項８】
前記容器本体の内周面に嵌合しつつ、前記容器本体の内部空間を閉じる蓋部を更に備えること、
を特徴とする請求項１乃至７の何れかに記載の食品包装用容器。
【請求項９】
前記容器本体の前記上面開口を閉蓋するフィルムを更に備えること、
を特徴とする請求項１乃至７の何れかに記載の食品包装用容器。
【発明の詳細な説明】
【技術分野】
【０００１】
本発明は、装着した皿部によって食品を上下に分離して収容できる食品包装用容器に関する。
【背景技術】
【０００２】
容器本体、皿部及び蓋を備える食品包装用容器がある。この種の食品包装用容器では、容器本体の内部空間に皿部が押し入れられ、皿部を容器本体に内嵌合させている。容器本体の底面及び側面部とで画成される内部空間が皿部によって上下に分離されるため、この食品包装用容器は、食品を皿部と容器本体の底とに分けて収容できる。皿部に置かれた食品と容器本体の底に置かれた食品とを調理直前まで混合させたくない場合に有用である。
【０００３】
このような食品包装用容器は、電子レンジを用いた加熱によって内部圧力が上昇する。内部圧力が皿部に作用すると、加熱調理中、皿部が容器本体から外れ、皿部に置かれた食品と容器本体の底に置かれた食品とが混ざってしまう虞がある。
【０００４】
そこで、特許文献１の食品包装用容器では、皿部と容器本体との係合部の形状を工夫し、皿部が容器本体から外れ難いようにしている。具体的には、皿部の外周側面に、皿部の上面開口から底面に向けて直線的に拡径する逆テーパ状の係合部を周方向に１周に亘って無端状に膨出させている。また、容器本体の内周側面に、内周側面を凹ませた逆テーパ状の係合部、即ち容器本体の上面開口から底面に向けて直線的に拡径する凹みを一周に亘って無端状に形成している。これら逆テーパ同士が嵌合することにより、皿部と容器本体との間の嵌合強度を高めている。
【先行技術文献】
【特許文献】
【０００５】
【特許文献１】特開２０１６−１０２１７７号公報
【発明の開示】
【発明が解決しようとする課題】
【０００６】
食品包装用容器を組み立てる際、皿部を容器本体に容易に嵌め合わせられることが望ましい。皿部の容器本体への嵌め込みに均等で大きな力が必要だとすれば、皿部の嵌め込み不良が発生し易くなる。その結果、皿部側と容器本体側に逆テーパ形状の係合部を設けたとしても、加熱調理中に、内部圧力に対して嵌め込み不良の皿部が外れてしまう。
【０００７】
また、皿部を容器本体に容易に嵌め合わせられることが望ましい一方、加熱調理中は皿部が容器本体から外れ難いことが望ましい。そのため、皿部側と容器本体側に逆テーパ形状の係合部を設け、係合部分の接触面積を高めている。しかし、食品包装用容器の個体によっては、皿部側と容器本体側に逆テーパ形状の係合部を設けることが、寧ろ容器本体から外れ易い状況を引き起こしている。
【０００８】
即ち、食品包装用容器の容器本体は、発泡ポリスチレンシートを金型で挟み込むシート成形により得られる。成形時には、発泡ポリスチレンシートを再び発泡させている。従って、容器本体の細部形状を設計と精度よく一致させるには、発泡ポリスチレンシートの高精度な再発泡制御が必要となる。また、容器本体を大量生産するには、同一の金型が複数用意される。従って、容器本体の細部形状を設計と精度よく一致させるには、金型間の寸法精度や金型再現性も重要である。
【０００９】
そして、再発泡制御及び成型時の金型再現性に問題があると、容器本体の個体間で、係合部が有する逆テーパ形状の深さや傾斜角に相違が生じる。また、係合部は、容器本体の内周側面を１周するように無端状に形成されるが、一部に逆テーパ形状の深さや傾斜角が設計と異なる範囲が生じてしまう。一方、皿部は発泡体ではなく、ソリッドなポリプロピレンが用いられる。従って、皿部の係合部が有する逆テーパ形状を１周に亘って設計と高精度に合わせることは比較的容易である。
【００１０】
そうすると、容器本体の係合部と皿部の係合部とが全周において精度良く合致せず、容器本体と皿部の嵌合強度が減少した個体が発生する虞がある。例えば、容器本体の係合部の一部範囲において、逆テーパの傾斜角が設計よりも緩やかになり、容器本体の内周側面からの凹みが浅い不良部が存在したものとする。逆テーパ同士の嵌合は、傾斜面が面接触により摺り合うものであるが、不良部では、容器本体側の傾斜角と皿部の傾斜角とが異なるので、傾斜面が線接触となってしまうため、容易に浮き上がってしまう。
【００１１】
更に、皿部を容器本体に容易に嵌め合わせられ、且つ加熱調理中は皿部が容器本体から外れ難いことが望ましいが、更にユーザが皿部を容器本体から取り外すときには容易であることが望ましい。しかしながら、皿部と容器本体の両係合部が共に逆テーパ形状である場合には、寧ろ外れ難くなっている。
【００１２】
また、外すきっかけを作るために、ユーザは最初に大きな力をかけて皿部を外そうとする。このとき、皿部と容器本体の両係合部が共に１周に亘って無端状である場合、皿部の係合部の一部範囲を容器本体の係合部から外す際、皿部の無端状の係合部の先端が容器本体係合端部に差し掛かり乗り越える際に、その周囲の範囲も引きずられるため抵抗がかかり、寧ろ力が必要になる。その際に勢い余って皿部上の食品が飛び出してしまう虞がある。従って、ユーザは適切に力を強めたり弱めたりしなくてはならず、非常に外し難いものとなってしまう。
【００１３】
本発明は、上記のような従来技術の問題点を解決するために提案されたものであり、その目的は、皿部を嵌め易く、加熱調理中は皿部が外れ難く、そしてユーザは皿部を外し易い食品包装用容器を提供することを目的とする。
【課題を解決するための手段】
【００１４】
上記の目的を達成するため、本発明の実施形態に係る食品包装用容器は、底面部及び周壁部を有し、上面が開口した容器本体と、底面部及び周壁部を有し、前記容器本体の内周側面に嵌合し、前記容器本体の底面と離間して支持される皿部と、を備え、前記皿部は、当該皿部の外周側面に周方向に１周に亘って隣同士間隔を空けながら並ぶ複数の突起部を有し、前記容器本体は、当該容器本体の内周側面のうち、前記突起部との対面位置に形成され、前記突起部が嵌まり込む凹部を有すること、を特徴とする。
【００１５】
前記突起部は、半球状に膨出しているようにしてもよい。
【００１６】
前記容器本体は、発泡体により成るようにしてもよい。
【００１７】
前記凹部は、下側に向けて直線的に拡径する逆テーパ形状を有するようにしてもよい。
【００１８】
前記皿部は、当該皿部の外周側面、且つ前記突起部よりも高い位置に、周方向に１周に亘って無端状に延在し、断面視半円状又は台形状に膨出する環状膨出部を有し、前記環状膨出部は、前記凹部の内面に密着するようにしてもよい。
【００１９】
前記皿部は、当該皿部の底面部から立ち上がって、当該皿部の底面部を１周に亘って囲み、前記突起部よりも低い位置に延在する環状の底側リブを有するようにしてもよい。
【００２０】
前記突起部として、短幅突起部と長幅突起部の２種類が並設され、前記短幅突起部は、前記皿部の周方向の長さが前記長幅突起部よりも短く、前記長幅突起部は、前記皿部の周方向の長さが前記短幅突起部よりも長く、前記短幅突起部と前記長幅突起部は、交互に並ぶようにしてもよい。
【００２１】
前記容器本体の内周面に嵌合しつつ、前記容器本体の内部空間を閉じる蓋部を更に備えるようにしてもよい。
【００２２】
前記容器本体の前記上面開口を閉蓋するフィルムを更に備えるようにしてもよい。
【発明の効果】
【００２３】
本発明によれば、皿部は、容器本体に嵌めるときは嵌め易く、凹部に不良部があっても加熱調理中に外れ難く、加熱調理終了後は外し易くなる。
【図面の簡単な説明】
【００２４】
【図１】分離状態を示す食品包装用容器の全体断面図である。
【図２】合体状態を示す食品包装用容器の全体断面図である。
【図３】容器本体の詳細形状を示す周壁部の断面図である。
【図４】皿部の詳細形状を示す周壁部の側面図である。
【図５】皿部の詳細形状を示す周壁部の断面図である。
【図６】皿部の平面図である。
【図７】蓋の詳細形状を示す周壁部の断面図である。
【図８】合体状態に係り、容器本体と皿部と蓋の周壁部の係合状態を示す断面図である。
【図９】皿部の上側リブを内側から捲り上げようとする力と、当該力に対して上側リブの外縁に抗力が働く様子を示す図である。
【図１０】（ａ）は突起部の一部が外れている様子を示し、（ｂ）は無端状に１周して膨出する膨出部の一部が外れている様子を示す模式図である。
【発明を実施するための形態】
【００２５】
本発明の実施形態に係る食品包装用容器について図面を参照しつつ詳細に説明する。尚、各図面においては、理解容易のため、厚み、寸法、位置関係、比率等を強調して示している。また、食品包装用容器の底側を下方又は下側といい、蓋の天面側を上方又は上側という。
【００２６】
（食品包装用容器）
図１は、食品包装用容器１００の分離状態を示す図であり、皿部においては左側が側面図、右側が断面図である。図２は食品包装用容器１００の合体状態を示す図であり、皿部においては左側が断面図、右側が側面図である。図１及び２に示すように、食品包装用容器１００は、容器本体１、皿部２及び蓋３を備えている。容器本体１、皿部２及び蓋３は分離した別体であり、嵌合により着脱自在に１つに合体し、食品包装用容器１００となる。
【００２７】
容器本体１は上面開口のボウル型である。この容器本体１は、底面部１１と、当該底面部１１の縁に沿って無端状に連続する周壁部１２とを備えている。底面部１１は平面視円形である。容器本体１の口縁１３は、底面部１１よりも大径の円環状である。即ち、周壁部１２は、底面部１１から上面開口に向けて全体としては漸次拡径しながら立ち上がっている。皿部２は、容器本体１の口縁１３よりも小径であり、また蓋３の外周よりも小径であり、底が浅い円盤型である。この皿部２は、底面部２１及び周壁部２２を備えている。底面部２１は、全体として平面視円形である。周壁部２２は、底面部２１の縁に沿って無端状に連続して立ち上がっている。蓋３は天面が平坦に潰れたドーム部３１を有する。
【００２８】
皿部２は、容器本体１の上部開口から内部空間へ押し込まれる。押し込まれた皿部２は、皿部２の径と容器本体１の径とが一致する高さで、容器本体１の内周側面に内嵌合する。皿部２の径と容器本体１の径とが一致する高さは、皿部２の全高よりも高い。そのため、皿部２は、容器本体１の底面部１１よりも上方位置に離間し、容器本体１の内空間に中空支持される。蓋３は、皿部２を内嵌合させた後、容器本体１の上部開口から内部空間へ押し込まれる。押し込まれた蓋３は、皿部２に覆い被さりつつ、皿３の径と容器本体１の径とが一致する高さで、容器本体１と内嵌合し、容器本体１を閉蓋する。
【００２９】
容器本体１、皿部２及び蓋３が合体した状態において、皿部２は、容器本体１の底面部１１と離間して支持される。容器本体１の内部空間は、皿部２によって上側内部空間１０１と下側内部空間１０２の上下二つの領域に区分される。この食品包装用容器１００は、上側内部空間１０１と下側内部空間１０２に食品を分けて収容できる。皿部２上と容器本体１の底面部１１上に食品を分けつつ、閉蓋のまま電子レンジで加熱調理したい場合に、食品包装容器１００は適するものである。例えば、下側内部空間１０２には液体状又はゼラチン等で固められたスープ等が収容され、上側内部空間１０１には麺や具材が収容される。
【００３０】
（容器本体）
容器本体１について更に詳細に説明する。図３は、容器本体１の詳細形状を示す断面図である。容器本体１の内周側面には、皿部２と係合する下部嵌合部１４と、蓋３と係合する上部嵌合部１５とが形成されている。下部嵌合部１４は、上部嵌合部１５よりも相対的に底面部１１側、即ち低い位置に形成され、上部嵌合部１５は、下部嵌合部１４よりも相対的に口縁１３側、即ち高い位置に形成されている。
【００３１】
下部嵌合部１４は、容器本体１の内周側面を１周に亘って同一高さを維持して無端状に延在する。この下部嵌合部１４は、凹部１４１と下部段差部１４２と容器側水平部１４３とを有する。凹部１４１に直結して下側に下部段差部１４２が形成され、凹部１４１に直結して上側に容器側水平部１４３が形成されている。
【００３２】
凹部１４１は、容器本体１の内周側面に形成される凹みである。凹部１４１は、容器本体１の内周側面を１周に亘って同一高さを維持して無端状に延在する。また、凹部１４１は逆テーパ形状を有している。即ち、凹部１４１は、容器本体１の上面開口から底面部１１に向けて、容器本体１の内周側面が直線的に拡径している。下部段差部１４２は、同一高さで容器本体１の内周側面を１周に亘って延在する無端状を成し、凹部１４１の下端よりも容器本体１の内部空間側へ膨出している。容器側水平部１４３は、凹部１４１の上端を基点に容器本体１の半径方向に沿って外側に水平に延び、高さ一定である。
【００３３】
換言すれば、周壁部１２は、底面部１１から拡径しながら立ち上がった後、滑らかに拡径度合いを大きくされることで下部段差部１４２を備え、下部段差部１４２の上端を基点に上方へ向けて縮径されることで凹部１４１を備え、凹部１４１の上端を基点に水平に延ばされることで容器側水平部１４３を備える。
【００３４】
上部嵌合部１５は、凹部１５１と上部段差部１５２とから成る。上部段差部１５２は、下部嵌合部１４の容器側水平部１４３の外周側領域に形成され、凹部１５１は、上部段差部１５２に直結して上側に形成されている。
【００３５】
凹部１５１は、容器本体１の内周側面に形成される凹みである。凹部１５１は、容器本体１の内周側面を１周に亘って同一高さを維持して無端状に延在する。また、凹部１５１は、逆テーパ形状を有している。即ち、凹部１５１は、容器本体１の上面開口から底面部１１に向けて、周壁部１２の内周側面が直線的に拡径する。上部段差部１５２は、容器側水平部１４３よりも一段盛り上がった領域であり、凹部１５１の直下に形成されている。この上部段差部１５２は、同一高さで容器本体１の内周側面を１周に亘って延在する無端状を成し、凹部１５１の下端よりも容器本体１の内部空間側へ膨出している。
【００３６】
換言すれば、周壁部１２は、下部嵌合部１４の容器側水平部１４３の外縁が１段高く盛り上げられることで上部段差部１５２を備え、上部段差部１５２の外縁を基点に上方へ向けて縮径されることで凹部１５１を備える。そして、周壁部１２は、凹部１５１の上端から更に立ち上げられ、立ち上げ先に口縁１３を備える。
【００３７】
口縁１３は、周壁部１２の上端を容器本体１の外側に湾曲させた上側凸の玉ぶち形状を有する。この口縁１３の外縁は、容器本体１の半径方向外側に向けて延長された縁取り部１３１を備えている。この縁取り部１３１は、口縁１３の強度を補強している。
【００３８】
このような容器本体１は、発泡ポリスチレンシートを金型で挟み込むシート成形により作製される。発泡ポリスチレンシートは成型時に加熱により軟化し、金型で挟み込む際に再び発泡させながら、容器本体１に形作られる。容器本体１の素材は発泡体であれば、発泡ポリスチレンに限られない。容器本体１の内面形状を形成する金型は、下部嵌合部１４の凹部１４１及び上部嵌合部１５の凹部１５１を形成する下部鍔部及び上部鍔部を有する。下部鍔部と上部鍔部の両方とも、逆テーパ形状を有し、容器本体１の上面開口から底面部１１に向けて直線的に拡径する。
【００３９】
同一種類の容器本体１を作製するための複数の金型の寸法精度や金型再現性、発泡ポリスチレンシートのシート保管状況や成形時の発泡状態、又はこれらの両方によっては、下部嵌合部１４が有する凹部１４１、上部嵌合部１５が有する凹部１５１又はこれらの両方は、一周の全部範囲又は一部範囲において、所望の傾斜角を有する逆テーパとならなかったり、所望の最深部を有する逆テーパとならなかったり、または容器本体１の上面開口から底面部１１に向けて縮径するテーパ形状となり、容器本体１の内周側面から内空間に突出する場合もあり得る。以下、所望の傾斜角よりも垂直側に立ってしまった凹部１４１の範囲、所望の最深部よりも浅い凹部１４１の範囲を不良部と呼ぶ。
【００４０】
（皿部）
次に、皿部２について更に詳細に説明する。図４は皿の詳細形状を示す周壁部の側面図であり、図５は皿の詳細形状を示す周壁部の断面図であり、図６は皿部２の平面図である。皿部２は、例えばソリッドなポリプロピレンシートを金型で挟み込むシート成形により作製される。
【００４１】
シート成形により、皿部２の周壁部２２には、底面部２１を起点として周壁部２２の端部に至るまでに、平面視円形の底面部２１の周縁から無端状に立ち上がり、途中で半径方向に沿って水平に延びる段部２３１が形成される。段部２３１は、容器本体１の下部嵌合部１４より下方の周壁部１２の立ち上がり角度よりも急峻に立ち上がっている。段部２３１と底面部２１の境界は、丸みを帯びて面取り部２３２が形成されている。また、周壁部２２には、段部２３１の水平面から垂直方向へ急激に傾斜角を変更して立ち上がる垂直部２３３が形成される。更に、周壁部２２には、半径方向に沿って水平に延びる皿側水平部２３４が形成される。
【００４２】
皿部２の段部２３１は底側リブ２５となる。この底側リブ２５は、底面部２１の外周面を１周に亘って同一高さで無端状に形成される円環状である。底側リブ２５は、上下方向に所定の厚みを有し、水平方向に所定の幅を有し、皿部２の内周側に膨出する。また底側リブ２５は、皿部２が容器本体１と内嵌合したとき、面取り部２３２が容器本体１の内周側面に接触するように、内周径が定められている。この底側リブ２５は、底面部２１の変形が底側リブ２５よりも上方の形状に波及することを抑制する。尚、底面部２１は、下側内部空間１０２の圧力上昇によって、上側に膨出するドーム状に変形する。圧力上昇は、食品包装用容器１に対する電子レンジによる加熱調理によって生じる。
【００４３】
底側リブ２５に直結して上側に形成される垂直部２３３には、皿側嵌合部２６が形成されている。皿側嵌合部２６は、周壁部２２の外周面側に形成され、容器本体１の下部嵌合部１４と係合する。この皿側嵌合部２６は、突起部２６１と環状膨出部２６２とを有する。突起部２６１は、垂直部２３３の下側領域に配され、環状膨出部２６２は、垂直部２３３の上側領域に配される。即ち、突起部２６１は、逆テーパ状の凹部１４１の凹みが深い位置に対向し、環状膨出部２６２は、逆テーパ状の凹部１４１の凹みが浅い位置に対向する。この突起部２６１は、下部嵌合部１４の凹部１４１に嵌まり込む。環状膨出部２６２は、下部嵌合部１４の凹部１４１の上側領域と密着する。
【００４４】
突起部２６１は、垂直部２３３から皿部２の外側へ突き出し、例えば点状のように皿部２の円周長に対して十分に短い周方向長を有する。この突起部２６１は例えば半球状の膨らみである。半球状には、中心角が１８０度に満たない膨らみ、及び楕円状の膨らみが含まれる。この突起部２６１は複数形成される。複数の突起部２６１は、皿部２の外周側面に１周に亘って同一高さ位置を維持して並んでいる。突起部２６１は隣同士間隔を空けながら円周等配位置で並んでいる。各突起部２６１の形状及び寸法は同一である。
【００４５】
環状膨出部２６２は、皿部２の外周側面を１周に亘って同一高さを維持して無端状に延在する円環形状を有し、また上下方向に沿った断面視で半円状又は台形状を有する。環状膨出部２６２の上下方向の長さ及び水平方向の幅は均一である。
【００４６】
皿側嵌合部２６に直結して上側の皿側水平部２３４は、下部嵌合部１４の容器側水平部１４３に着座するフランジ部２７となっている。フランジ部２７の上面には上側リブ２８が形成されている。上側リブ２８は、フランジ部２７の円環状の延びに沿って１周に亘って無端状に延びる円環形状を有する。この上側リブ２８は、皿側嵌合部２６を変形させようとする力を抑え込む。
【００４７】
更に、上側リブ２８は、下面が全周に渡って環状の開口２８３を有し、また内部に貯留空間２８４を有し、上下方向に沿った断面視で、下辺の無い３辺で囲まれる矩形状を有する。即ち、皿部２の皿側水平部２３４は、詳細には、垂直部２３３の上端から水平に延びた後、途中で屈曲して垂直に立ち上がり、垂直から皿部２の半径方向外方へ直角に屈曲して水平方向に延び、水平から皿部２の上下方向に屈曲して下方に垂直に延び、垂直部２３３の上端から始まる水平と同じ高さで水平に延びる方向に戻る。
【００４８】
上側リブ２８は、フランジ部２７の外周領域を全周に亘って残すように立設されている。即ち、上側リブ２８の最外径よりもフランジ部２７の最外径は大きい。上側リブ２８は、幅が１周に亘って同一ではなく、幅狭域２８１を有している。幅狭域２８１は、上側リブ２８の他の円弧範囲よりも上面平坦領域の幅が狭い範囲、即ち内周径と外周径の差が小さい範囲である。この幅狭域２８１は、上側リブ２８の一部である第１円弧範囲と、この一部範囲に対して環中心を挟んで反対側の第２円弧範囲に及ぶ。そして、一方の幅狭域２８１には、内周壁が半径方向外側に傾斜した傾斜面２８２が形成されている。この傾斜面２８２は、食品を皿部２から取り出すときの滑り出し口となる。
【００４９】
また、傾斜面２８２に続き、底面部２１の上面には、傾斜面２８２に向けて傾斜する傾斜面２１１が傾斜している。食品は、この傾斜面２１１を滑って上側リブ２８に向かい、傾斜面２８２を滑って皿部２外へ滑り落ちる。
【００５０】
フランジ部２７の外周縁のうち、他方の幅狭域２８１が延在する範囲からは、舌片部２９が延出している。舌片部２９は、傾斜面２８２が形成されている幅狭域２８１と反対側の幅狭域２８１の範囲内に形成されている。舌片部２９は、上側リブ２８よりも外周側から延びる細長い板片であり、皿部２を容器本体１から外す際に把持される。この舌片部２９の基端には、下方に凹んだ凹状環状リブ２９１と上側に凸状に膨らんだ凸状環状リブ２９２が形成されている（図１参照）。凹状環状リブ２９１と凸状環状リブ２９２は連接し、凹状環状リブ２９１は、凸状環状リブ２９２よりも舌片部２９１の基端側に位置する。舌片部２９を把持したとき、凹状環状リブ２９１に折り曲げ力が加わって、舌片部２９を折り曲げ易くするが、凸状環状リブ２９２が外側に連接することにより、その折り曲げ力が凹状環状リブ２９１に加わり易くなる。
【００５１】
（蓋）
図７は蓋３の断面図である。ドーム部３１は、天面中心が平坦であり、平坦領域の外側で下方へ拡径しながら垂れ下がっている。蓋３のドーム部３１の垂れ下がり下端には、半径方向外方に水平に延びる蓋側水平部３２が延設される。水平部３２の外縁には凸部３３が立ち上がっている。そして、凸部３３の上端には、半径方向外方に水平に延びるフランジ部３４が更に延設されている。
【００５２】
蓋側水平部３２の内周から外周までの径範囲と上側リブ２８の内周から外周までの径範囲は、一部又は全部が重なる。皿部２及び蓋３を容器本体１に装着したとき、蓋側水平部３２と上側リブ２８は、蓋側水平部３２の下面が上側リブ２８の上面に接触し、又は蓋側水平部３２と上側リブ２８とが若干の隙間を空けて近接する。凸部３３は、蓋側水平部３２の外縁に繋がるテーパ部３３１を有し、更に、テーパ部３３１の上端から連続して逆テーパ部３３２を有する。テーパ部３３１は、上方から下方に向けて直線的に縮径し、逆テーパ部３３２は、上方から下方に向けて直線的に拡径する。
【００５３】
（作用）
（組み立て時）
以上の容器本体１、皿部２及び蓋３を有する食品包装用容器１００の組み立てを図８を参照しつつ説明する。まず、容器本体１の底面部１１の上面に食品が載置される。そして、皿部２は、底面部２１側から容器本体１の内部空間に押し入れられる。皿部２を押し入れる押圧力は、強度が高い上側リブ２８の上面にかけられる。従って、全周に均等に押圧力がかからないことによって、押圧力の分布に偏りがあっても、上側リブ２８は平坦を維持する。そのため、容器本体１へ皿部２を押し入れるとき、皿部２の一部が反るように歪むことが抑制される。その結果、上側リブ２８によって、皿部２は容器本体１の内部空間に容易に押し込まれる。容器本体１に対する皿部２の内嵌合が完了すると、皿部２の底面部２１に食品が載せられる。その後、蓋３が容器本体１の内部空間に押し入れられる。
【００５４】
下部嵌合部１４の凹部１４１は、突起部２６１と対面する位置に形成されている。皿部２が容器本体１の内部空間に押し込まれる過程で、皿側嵌合部２６の各突起部２６１は、下部嵌合部１４の凹部１４１内に嵌まり込んでいく。以下、本実施形態とは異なり、皿部の外周面に周方向に１周に亘って無端状に形成され、凹部１４１に嵌め込む膨出部、又はこの膨出部を有する皿部を比較対象という。
【００５５】
突起部２６１は１つ１つが独立していて繋がっておらず、また突起部２６１と凹部１４１との接触面積は小さい。そのため、１つの突起部２６１を凹部１４１に嵌め込む押圧力は小さくて済む。また、突起部２６１の間には凹部１４１と嵌合しない隙間がある。そのため、比較対象よりも全突起部２６１と凹部１４１との合計の嵌合距離は短い。その結果、全突起部２６１を凹部１４１に嵌め込むための総計の押圧力も小さくて済む。従って、突起部２６１は、皿部２を容器本体１に嵌め易くしている。
【００５６】
また、凹部１４１に不良部が存在していても、不良部の全てに突起部２６１が接触するわけではない。従って、不良部に突起部２６１を嵌め込む押圧力は相対的に小さくて済む。従って、突起部２６１は、不良部の存在に関わらず、皿部２を容器本体１に嵌め易くしている。一方、比較対象は不良部の全域と接触する。そのため、比較対象では、不良部との対応箇所に大きな押圧力をかける必要がある。皿部２に対する押圧力の分布の偏りは、不良部を支点とした皿部の浮き上がりを招来する。対応策としては、不良部に嵌合させる押圧力を見越して、皿部に均等な押圧力をかけなくてはならない。このように、比較対象では皿部を容器本体１に嵌め込み難い。
【００５７】
突起部２６１以外に注目すると、皿部２が容器本体１の内部空間に押し込まれる過程では、皿側嵌合部２６の環状膨出部２６２は、凹部１４１の上側領域に突き当たって密着する。垂直部２３３の下端は、下側係合部１４の下部段差部１４２に引っかかる。フランジ部２７は、下側係合部１４の容器側水平部１４３に着座し、フランジ部２７の下面と容器側水平部１４３の上面とが全面的に接触する。フランジ部２７に形成された上側リブ２８も全周に亘って容器側水平部１４３に載ることになる。更に、底面部２１と底側リブ２５の境界の面取り部２３２は、容器本体１の内周側面に接触する。
【００５８】
また、蓋３が押し入れる過程で、凸部３３は、容器本体１の上部嵌合部１５に設けられた凹部１５１内に嵌まり込む。蓋３のフランジ部３４は、容器本体１の口縁１３に乗り上げる。蓋３の水平部３２は、皿部２の上側リブ２８の上面に接触し、又は上側リブ２８の上面と近接する。
【００５９】
（加熱調理時）
ユーザは食品が入った食品包装用容器１００を電子レンジに入れて加熱する。下側内部空間１０２にはスープ等の食品が収容されることが多い。スープ等の食品は熱くなり易く、下側内部空間１０２は、上側内部空間１０１よりも圧力上昇し易い。つまり、加熱調理の過程では、下側内部空間１０２の内部圧力が相対的に高くなり、この内部圧力が皿部２を上方へ押し上げようとする。
【００６０】
皿部２は、下部嵌合部１４と皿側嵌合部２６との嵌合によって、周壁部２２で容器本体１の内周側面に固定されている。その結果、内部圧力は、まず皿部２の底面部２１を半球状に膨出させる。底面部２１の外周側面には１周に亘って底側リブ２５が配置されている。底側リブ２５は、底面部２１よりも強度が高い。そのため、底面部２１を膨出させる程度の内部圧力では、底側リブ２５は歪み変形しない。皿側嵌合部２６は底側リブ２５よりも上方にある。従って、底側リブ２５は、底面部２１の変形が皿側嵌合部２６に波及することを阻止し、凹部１４１と突起部２６１との嵌合を解除する力が及びにくいようにしている。即ち、底側リブ２５は、加熱調理時に皿部２を外れ難くしている。
【００６１】
加熱調理が進展すると内部圧力は更に高まる。皿部２は、下部嵌合部１４によって容器本体１の内周側面に固定され、また底側リブ２５が下部嵌合部１４を保護している。また、底面部２１は半球状に膨らんでいる。そのため、内部圧力によって皿部２に作用する押し上げ力には、皿部２の中心から放射状に外周へ向かい、且つ斜め上方向の成分が含まれる。
【００６２】
図９に示すように、この押し上げ力は、上側リブ２８を内周側から捲り上げようとする。上側リブ２８の外縁下端全周範囲は、この押し上げ力によって下部嵌合部１４の容器側水平部１４３に押し付けられる。この結果、内周面側から上側リブ２８をまくり上げようとする力は、容器側水平部１４３から受ける反力によって減殺され、上側リブ２８は、内周側からの捲り上げに抗して平坦な状態を維持する。そうすると、皿側嵌合部２６も上側リブ２８に支えられることで歪み変形せず、突起部２６１が下部嵌合部１４の凹部１４１から外れ難い。
【００６３】
また、突起部２６１と凹部１４１とは形状が不一致であり、突起部２６１の個々の面積は小さい。そのため、各突起部２６１は、凹部１４１に押し付けられて、凹部１４１の傾斜面にめり込んでいく。その結果、凹部１４１の傾斜面には、突起部２６１に合わせた形状が出来上がる。突起部２６１と凹部１４１とは、このめり込みにより良好に面接触することになり、突起部２６１単位での嵌合強度は高くなる。そのため、更に内部圧力が高くなり、皿側嵌合部２５に力が加わり始めたとしても、突起部２６１は下部嵌合部１４の凹部１４１から外れ難い。
【００６４】
しかも、突起部２６１は球面を有するから、不良部に対しても一定面積で面接触できる。従って、突起部２６１は、不良部の存在によっても、下部嵌合部１４の凹部１４１から外れ難い。一方、比較対象の膨出態様が凹部１４１の形状及び寸法に倣った逆テーパ状であるものとする。この場合、不良部では、凹部１４１と比較対象の傾斜角が一致せず、比較対象と凹部１４１とは線接触に近づき、接触面積が大幅に低下する。即ち、不良部では比較対象に対する静止摩擦が小さくなる。そのため、更に高まった内部圧力によって、比較対象は凹部１４１の傾斜面を容易に滑り上がり、凹部１４１から外れてしまう。
【００６５】
また、各突起部２６１は独立しており、繋がっていない。そのため、図１０の（ａ）に示すように、万一、一部の突起部２６１が内部圧力に負けて凹部１４１から外れてしまっても、両隣の突起部２６１が、外れた突起部２６１に引きずられて外れる虞は低減しており、外れている突起部２６１及び外れかかっている突起部２６１の範囲は狭い範囲に収まる。従って、突起部２６１は、加熱調理において皿部２を外れ難くしている。
【００６６】
一方、図１０の（ｂ）に示すように、比較対象の膨出部５００が不良部１４１ａから外れてしまった場合、不良部１４１ａの両隣の良好な一定範囲に嵌合する膨出部５００は、上方に引きずられて凹部１４１との嵌合不足に陥る。そのため、不良部１４１ａの両隣にある良好な一定範囲においても膨出部５００が凹部１４１からほとんど外れてしまい、膨出部５００が外れている範囲は広範囲に及ぶ。しかも、膨出部５００が無端状に連環していることにより、各範囲は芋づる式に外れていき、この結果、不良部１４１ａから比較対象の膨出部５００が外れた途端、全ての膨出部が凹部１４１から外れてしまい、皿部２は加熱調理中に容易に外れてしまう。
【００６７】
そもそも、凹部１４１から外れようとする突起部２６１の上には、上側リブ２８が延在している。仮に、上側リブ２８がない場合、一部の突起部２６１が凹部１４１から外れると、その周囲の突起部２６１は凹部１４１との嵌合を維持しているので、皿部２は、凹部１４１から外れた突起部２６１を頂点にして山が出来上がるように歪み変形することになる。しかしながら、突起部２６１の上には、皿部２の歪み変形を抑制する上側リブ２８が延在しているので、皿部２は歪み変形し難く、そのため突起部２６１も凹部１４１から外れ難くなっている。
【００６８】
更に、上側リブ２８は、蓋部３の蓋側水平部３２によって押さえ付けられている。蓋側水平部３２と上側リブ２８とが近接している場合、皿部２が若干浮き上がれば、上側リブ２８を蓋側水平部３２が押さえにかかる。このため、上側リブ２８は歪み変形し難くなっており、皿部２も更に歪み変形し難く、突起部２６１も更に凹部１４１から外れ難くなっている。
【００６９】
（加熱調理終了後）
ユーザは電子レンジによる加熱終了後、温まった食品が入った食品包装用容器１００を電子レンジから取り出す。電子レンジから取り出すとき、ユーザが食品用包装用容器１００を傾けてしまったと仮定する。容器本体１に収容されているスープ等の液体は、容器本体１の周壁部１２を流れて皿部２側へ漏れ出そうとする。しかし、面取り部２３２は容器本体１の内周側面に接触しており、液体の皿部２へ向けた通路は遮られている。従って、液体が皿部２側へ漏れ出る虞は低減されている。
【００７０】
食品包装用容器１００の傾倒角度が大きい場合、面取り部２３２で防ぎきれなかった液体は、突起部２６１が並設されている領域に向かう。この液体は、隣り合う突起部２６１の隙間を通って、皿部２側へ更に進行する。しかし、突起部２６１の上方には環状膨出部２６２が配置されている。環状膨出部２６２は、容器本体１の下部嵌合部１４の凹部１４１に密着している。つまり、液体の皿部２へ向けた通路は、環状膨出部２６２によって遮られており、食品包装用容器１００の傾倒角度が大きい場合であっても、液体の皿部２側への漏れ出しの虞は低減している。
【００７１】
食品包装用容器１００の傾倒角度が更に大きく、環状膨出部２６２を液体が通過した場合、液体は、フランジ部２７と容器側水平部１４３との間に入り、皿側水平部２３４の外縁から皿部２へ漏れ出そうとする。しかし、フランジ部２７には上側リブ２８が配置されている。そして、その上側リブ２８は下面に開口２８３を有している。そのため、フランジ部２７と皿側水平部２３４との間を通る液体は、上側リブ２８の開口２８３から上側リブ２８の貯留空間２８４に吸い上げられ、上側リブ２８内に貯留される。そのため、食品包装用容器１００の傾倒角度が更に大きい場合であっても、液体の皿部２側への漏れ出しの虞は低減されている。
【００７２】
ユーザは電子レンジから食品包装用容器１００を取り出した後、まず蓋３に力をかけて容器本体１から取り外す。次に、舌片部２９を把持し、皿部２を片側から上方に持ち上げる。
【００７３】
このとき、比較対象については、皿部２が外れるきっかけを作るために、膨出部の一部範囲を凹部１４１外す力と、外れようとする範囲の両隣の範囲を引きずり上げる力の両方の総計が必要なので、最初に大きな力が必要になる。きっかけが作られた後は、芋づる式に外れるので、最初の力よりも小さい力で済む。そうすると、外すきっかけを作るための大きな力によって皿部２が勢いよく外れてしまい、皿部２上の食品が飛び出す虞がある。
【００７４】
しかし、突起部２６１に関しては、１つずつ順番に凹部１４１から外せばよいので、ユーザは一定の力をかけ続ければよい。従って、皿部２は緩やかに外れ、皿部２上の食品が飛び出す虞は抑制されている。また、上側リブ２８によって皿部２は歪み難くなっているので、一気に全突起部２６１を外すことができる。そうすると、容器本体１内の蒸気は、半周範囲又は全周範囲等、広範囲から立ち上がる。従って、容器本体１内の蒸気が手元に集中して局所的に溢れだすことを抑制でき、ユーザに火傷をさせる虞を低減できる。
【００７５】
また、舌片部２９のみに皿部２を持ち上げる力をかけても、皿部２は上側リブ２８によって歪み変形し難くなっている。従って、皿部２を外す最中、皿部２上の食品が雪崩を打って舌片部２９とは反対側に崩れ落ち、食品が皿部２から落下してしまう虞を抑制している。皿部２を容器本体１から外した後は、皿部２上の食品を容器本体１側へ移して混ぜることで調理完了となる。
【００７６】
皿部２上の食品を容器本体１側へ移す際には、上側リブ２８の幅狭域２８１の両方と上側リブ２８の環状中心を通る線分を中心にして、皿部２をＵ字状又はＶ字状に折り曲げ、食品の滑り出し口を形成する。このため、食品をこぼすことなく皿部２から容器本体１へ移せる。滑り出し口から食品を皿部２から滑り落とす際は、幅狭域２８１に傾斜面２８２が存在するので、幅狭域２８１は障壁とならず、食品はスムーズに滑り落ちる。
【００７７】
（効果）
以上のように、この食品包装用容器１００は、容器本体１と皿部２とを少なくとも備えるようにした。容器本体１は、底面部１１及び周壁部１２を有し、上面が開口している。皿部２は、底面部２１及び周壁部２２を有し、容器本体１の内周側面に嵌合し、容器本体１の底面部１１と離間して支持される。この皿部２は、当該皿部２の外周側面に周方向に１周に亘って隣同士間隔を空けながら並ぶ複数の突起部２６１を有するようにした。そして、容器本体１は、当該容器本体１の内周側面のうち、突起部２６１との対面位置に形成され、突起部２６１が嵌まり込む凹部１４１を有するようにした。これにより、皿部２は、容器本体１に嵌めるときは嵌め易く、凹部１４１に不良部があっても加熱調理中に外れ難く、加熱調理終了後に外すときは外し易くなる。
【００７８】
尚、不良部から外れた突起部２６１に他の突起部２６１が引きずられて外れることを抑制できるという点では、突起部２６１は、１つ１つについて周方向に短い距離で延在し、全体として１周に亘って隣同士間隔を空けながら並べば良い。従って、突起部２６１は、半球状に限らず、垂直部２３３に向かって見たときに、三角形、矩形、多角形又は長円等の形状を有していてもよいし、湾曲した膨らみではなく、台形状、多角形形状又は三角形形状であってもよい。また、凹部１４１は、１周に亘って無端状である必要はなく、突起部２６１を一つずつ包含し、又は所定数の突起部２６１を１つで包含できるような長さで、複数並ぶようにしてもよい。
【００７９】
但し、突起部２６１は半球状に膨出することで、凹部１４１の不良部が如何なる形状及び寸法であろうとも、一定面積で凹部１４１と嵌合でき、加熱調理中の外れ難さが向上するとともに、凹部１４１の形状の不安定さに関わらず、食品包装用容器１００の個体間で外れ難さが統一される。
【００８０】
また、皿部２は、当該皿部２の外周側面、且つ突起部２６１よりも高い位置に、周方向に１周に亘って無端状に延在し、断面視半円状又は台形状に膨出する環状膨出部２６２を有するようにした。環状膨出部２６２は、容器本体１の凹部１４１の内面に密着する。これにより、突起部２６１間に形成されている隙間から下側内部空間１０１の液体が漏れ出してきても、環状膨出部２６２が皿部２への経路を遮り、皿部２へ液体が漏れてしまうことを抑制できる。尚、環状膨出部２６２は、容器本体１と密着して、液体の経路を遮ればよく、密着先が凹部１４１である必要はない。即ち、容器本体１の内周側面の他の凹部を形成し、他の凹部に密着させるようにしてもよい。
【００８１】
皿部２は、当該皿部２の底面部２１から立ち上がって、当該皿部２の底面部２１を１周に亘って囲み、突起部２６１よりも低い位置に延在する環状の底側リブ２５を有するようにした。この底側リブ２５に容器本体１との係合関係はない。これにより、突起部２６１に皿部２を外そうとする力が加わり難くなり、皿部２は、加熱調理中に更に外れ難くなる。
【００８２】
尚、突起部２６１は全て同じ幅である必要はない。例えば、短幅の突起部２６１と、長幅の突起部２６１の２種類を並設し、短幅の突起部２６１と長幅の突起部２６１を交互に並べてよい。短幅の突起部２６１は、皿部２の周方向に沿った長さが、長幅の突起部２６１と比べて短く、凹部１４１から相対的に外れ易い。長幅の突起部２６１は、皿部２の周方向に沿った長さが、短幅の突起部２６１と比べて長く、凹部１４１から相対的に外れ難い。突起部２６１は、凹部１４１に嵌合する膨出部を周方向に無端状とする場合と比べて、高さ調整が容易である上に、短幅の突起部２６１と長幅の突起部２６１の２種類を交互に並べることによる全体としての嵌合強度調整も併用できるので、皿部２と容器本体１のより細やかな嵌合強度の調整が可能となる。
【００８３】
また、容器本体１は、凹部１４１よりも高い位置に、容器本体１の周方向に１周に亘って無端状に延在し、容器本体１の半径方向外方に水平に延びる環状の容器側水平部１４３を備え、皿部２は、突起部２６１よりも高い位置に、皿部２の周方向に１周に亘って無端状に延在し、容器側水平部１４３に載って上方に膨出する環状の上側リブ２８を備えるようにした。これによっても、皿部２は、容器本体１に嵌めるときは嵌め易く、凹部１４１に不良部があっても加熱調理中に外れ難く、加熱調理終了後に外すときは外し易くなる。
【００８４】
尚、本実施形態では、皿部２の外周側面に１周に亘って延在し、容器本体１側の下部嵌合部１４と嵌合する皿側嵌合部２６の形状として突起部２６１を備えるようにしたが、上側リブ２８は、皿部２の歪み変形を押さえる働きにより皿部２を外れ易くするものであり、皿側嵌合部２６には公知の何れの形状も適用できる。即ち、皿側嵌合部２６には、凹部１４１と嵌合するために、例えば内周側面を１周に亘って同一高さを維持して無端状に延在する膨出部を備えるようにしてもよい。膨出部の形状も、上下方向に沿った断面で逆テーパ状、矩形、台形又は半円形としてもよい。膨出部も無端状ではなく、周方向に円弧状に長く、複数に区切られていてもよい。
【００８５】
この上側リブ２８は、内部中空で下面が開口しているようにした。これにより、下部内部空間１０２から皿部２側に漏れ出そうとする液体を上側リブ２８に貯留することで、皿部２側に液体が漏れ出すことを抑制できる。
【００８６】
また、上側リブ２８は、第１の円弧範囲と、環中心を挟んで前記第１の円弧範囲とは反対側の第２の円弧範囲の各々に、内周径と外周径の差が小さい幅狭域２８１を有するようにした。これにより、ユーザは、一対の幅狭域２８１を通る線分で皿部２をＵ字又はＶ字に折り曲げることが出来るから、食品をこぼすことなく容器本体１へ移すことができる。
【００８７】
また、上側リブ２８は、一方の幅狭域２８１の内周壁に、外側に傾斜した傾斜面２８２を有するようにした。これにより、食品が上側リブ２８に乗り上がりやすくなり、食品をこぼすことなく容器本体１へ移すことができる。
【００８８】
また、容器本体１の内部空間に嵌合しつつ、容器本体１の内部空間を閉じる蓋３を更に備えるようにし、蓋３は、下面が上側リブ２８の上面に接触又は近接する環状の蓋側水平部３３を有するようにした。これにより、上側リブ２８の歪み変化に対する対抗力を強めることができ、皿部２は、凹部１４１に不良部があっても加熱調理中に外れ難くなる。
【００８９】
但し、本実施形態では食品包装用容器１００に蓋３を備えるようにしたが、皿部２は外れ難くなっているので、蓋３を不要とし、容器本体１の上面開口にフィルムをかけて上面開口を閉塞するようにしてもよい。
【００９０】
（他の実施形態）
以上のように本発明の実施形態を説明したが、発明の要旨を逸脱しない範囲で、種々の省略、置き換え、変更を行うことができる。そして、この実施形態やその変形は、発明の範囲や要旨に含まれるとともに、特許請求の範囲に記載された発明とその均等の範囲に含まれる。
【００９１】
１  容器本体
１１  底面部
１２  周壁部
１３  口縁
１３１  縁取り部
１４  下部嵌合部
１４１  凹部
１４２  下部段差部
１４３  容器側水平部
１５  上部嵌合部
１５１  凹部
１５２  上部段差部
２  皿部
２１  底面部
２２  周壁部
２３１  段部
２３２  面取り部
２３３  垂直部
２３４  皿側水平部
２５  底側リブ
２６  皿側嵌合部
２６１  突起部
２６２  環状膨出部
２７  フランジ部
２８  上側リブ
２８１  幅狭部
２８２  傾斜面
２８３  開口
２８４  貯留空間
２９  舌片部
２９１  凹状環状リブ
２９２  凸状環状リブ
３  蓋
３１  ドーム部
３２  蓋側水平部
３３  凸部
３３１  テーパ部
３３２  逆テーパ部
３４  フランジ部
１００  食品包装用容器
１０１  上側内部空間
１０２  下側内部空間
【図１】
2020203719.tif 000003
【図２】
2020203719.tif 000004
【図３】
2020203719.tif 000005
【図４】
2020203719.tif 000006
【図５】
2020203719.tif 000007
【図６】
2020203719.tif 000008
【図７】
2020203719.tif 000009
【図８】
2020203719.tif 000010
【図９】
2020203719.tif 000011
【図１０】
2020203719.tif 000012